(57)【要約】【課題】フリーストッパーを備えている引き戸において、戸パネルを支持するガイドレールとして、コストが少なくて済む汎用型のガイドレールを使用することができ、しかも、戸パネルの開閉時に騒音が発生するのを解消して静音化を図る。【解決手段】戸パネル２を、ガイドレール１で吊車型のランナー３を介して支持し、戸パネル２に固定した振止めレール５を、床面Ｆに配置した振止め体６で移行案内する。戸パネル２を任意の開放位置で停止保持するフリーストッパーＳを、振止めレール５内に収容して床面Ｆに固定する。フリーストッパーＳは、ホルダー４４と、ホルダー４４に設けた支軸４５で傾動可能に支持される摩擦付与体４６と、摩擦付与体４６を傾動付勢する傾動ばね４７を備えている。摩擦付与体４６は、摩擦力によって戸パネル２を停止保持する摩擦腕部５４を備えており、開放阻止姿勢と閉じ阻止姿勢に切換えることができる。【選択図】図１
2016173017.tif 000002
【特許請求の範囲】
【請求項１】
戸パネル（２）が、ガイドレール（１）で吊車型のランナー（３）を介して吊下げ支持され、戸パネル（２）の下部に固定した振止めレール（５）が、床面（Ｆ）に配置した振止め体（６）で移行案内される引き戸であって、
戸パネル（２）を任意の開放位置で停止保持するためのフリーストッパー（Ｓ）が、振止めレール（５）の内部に収容されて床面（Ｆ）に固定されており、該フリーストッパー（Ｓ）は、ホルダー（４４）と、ホルダー（４４）に設けた支軸（４５）で左右傾動可能に支持される摩擦付与体（４６）と、摩擦付与体（４６）を傾動付勢する傾動ばね（４７）を含み、
摩擦付与体（４６）は、その中心軸（Ｐ）が支軸（４５）の中心を通る垂直面より閉じ端側へ傾動する開放阻止姿勢と、前記垂直面より開放端側へ傾動する閉じ阻止姿勢に切換え可能に構成されており、
摩擦付与体（４６）は、フラットな振止めレール（５）の内面壁に接触して、該振止めレール（５）の内壁面との間で生じる摩擦力によって戸パネル（２）を停止保持する摩擦腕部（５４）を備えており、該摩擦腕部（５４）が、開放阻止姿勢、閉じ阻止姿勢、および両阻止姿勢間の姿勢切換え時において、常に振止めレール（５）の内面壁に接触するように構成されていることを特徴とする引き戸。
【請求項２】
戸パネル（２）の下端面に振止めレール（５）が埋設されて、摩擦腕部（５４）の上端が振止めレール（５）の上壁に摩擦接触されており、
振止めレール（５）の下開口面と対向する床面（Ｆ）にユニットベース（４８）が固定されて、ユニットベース（４８）に振止め体（６）が装着されており、
フリーストッパー（Ｓ）のホルダー（４４）は、ユニットベース（４８）に固定したガイド軸（５８）で上下スライド可能に案内支持されており、
ホルダー（４４）とユニットベース（４８）との間に、摩擦腕部（５４）の高さを調整する高さ調整構造が設けられている請求項１に記載の引き戸。
【請求項３】
高さ調整構造が、ユニットベース（４８）で回転可能に支持した調整ねじ（６０）と、調整ねじ（６０）に対応してホルダー（４４）の底壁に形成したねじ穴（６１）と、調整ねじ（６０）の下部に設けた操作部（６２）を備えており、
操作部（６２）が、戸パネル（２）と床面（Ｆ）の間の隙間に臨ませてある請求項２に記載の引き戸。
【請求項４】
ユニットベース（４８）の左右に、振止めレール（５）を移行案内する振止め体（６）が装着されており、
振止め体（６）が、ユニットベース（４８）に固定した振止め軸（６５）と、振止め軸（６５）で回転自在に支持した振止めローラー（６６）で構成されている請求項２または３に記載の引き戸。
【請求項５】
摩擦付与体（４６）が、ゴム層（５１）と、ゴム層（５１）にインサートされる金属製の補強芯体（５２）で構成されて、支軸（４５）で軸支されるボス部（５３）と、ボス部（５３）の上側に突設される摩擦腕部（５４）と、ボス部（５３）の左右に突設されるばね受座（５５）を一体に備えており、
前記補強芯体（５２）にボス部（５３）と、ばね受座（５５）を補強する座腕（５６）が一体に形成されている請求項１から４のいずれかひとつに記載の引き戸。
【請求項６】
ホルダー（４４）が、ユニットベース（４８）に固定した左右一対のガイド軸（５８）で上下スライド可能に案内支持されており、
傾動ばね（４７）が圧縮コイルばねで形成されて、ばね受座（５５）に設けたばね掛軸（５７）とガイド軸（５８）に装着されている請求項５に記載の引き戸。
【請求項７】
ガイドレール（１）と戸パネル（２）の間に、戸パネル（２）を任意の開放位置から閉じ操作する自閉装置が設けられており、
自閉装置は、戸パネル（２）を閉じ付勢するぜんまいばねを備えた動力ユニット（２０）と、動力ユニット（２０）の閉じ付勢力に抗して戸パネル（２）の閉じ動作を制動するシリンダー型のエアーダンパー（２１）を備えており、
動力ユニット（２０）とエアーダンパー（２１）のうち、少なくとも動力ユニット（２０）が戸パネル（２）の上端に設けたばね装着部（４０）に装着されて、動力ユニット（２０）から繰り出したワイヤー（２４）の端部がガイドレール（１）の中途部に固定されている請求項１から６のいずれかひとつに記載の引き戸。
【請求項８】
戸パネル（２）が、ガイドレール（１）で吊車型のランナー（３）を介して吊下げ支持され、戸パネル（２）の下部に振止めレール（５）が配置してある引き戸であって、
戸パネル（２）を任意の開放位置で停止保持するためのフリーストッパー（Ｓ）が、振止めレール（５）の内部に収容されて床面（Ｆ）に固定されており、
フリーストッパー（Ｓ）は、床面（Ｆ）に固定されるユニットベース（７１）と、
ユニットベース（７１）に装着した支軸（７２）で回転自在に支持される前後一対の摩擦ローラー（７３・７３）と、
ユニットベース（７１）で左右スライド自在に案内支持したローラー軸（７４）に装着される切換えローラー（７５）と、
ローラー軸（７４）および切換えローラー（７５）を互いに逆向きに移動付勢して、切換えローラー（７５）を摩擦ローラー（７３・７３）の周面に密着させる左右一対の切換えばね（７６）を備えており、
各摩擦ローラー（７３・７３）は、振止めレール（５）の前壁および後壁の内面と、切換ローラー（７５）の周面に同時に接触して、各接触部分の摩擦力で戸パネル（２）を任意の開放位置で停止保持することができ、
切換えローラー（７５）は、その軸中心が支軸（７２）の中心を通る垂直面より閉じ端側に位置する開放阻止姿勢と、前記垂直面より開放端側に位置する閉じ阻止姿勢に切換え可能に構成されており、
開放阻止姿勢と閉じ阻止姿勢の間の姿勢切換え時に、切換えローラー（７５）が一対の摩擦ローラー（７３・７３）を弾性変形させながら、両ローラー（７３・７３）の対向周面を通過することを特徴とする引き戸。
【請求項９】
摩擦ローラー（７３・７３）が振止め体（６）を兼ねている請求項８に記載の引き戸。
【発明の詳細な説明】
【技術分野】
【０００１】
本発明は、戸パネルを任意の開放位置で停止保持するためのフリーストッパーを備えている引き戸に関する。
【背景技術】
【０００２】
本出願人は、この種のストッパー（閉じ停止装置）を備える引き戸を先に提案している（特許文献１）。そこでは、ガイドレールの上壁に固定したラックと、戸パネルの開放端側のランナーに連結したロックユニットでストッパーを構成している。ロックユニットは、一端にロック爪を備えているひょうたん形のロックレバーと、ロックレバーを左右傾動可能に支持するホルダーと、ホルダーおよびロックレバーを押上げ付勢するばねと、これらの部材を収容するハウジングなどで構成してある。ストッパーは自閉式の引戸に適用されて、ロックレバーのロック爪がラックと係合することで、任意位置まで開放された戸パネルを自閉装置の閉じ操作力に抗して停止保持する。
【０００３】
本発明に係る引き戸を構成するストッパーは、ゴム製の制動体をレール面に押付けて戸パネルを任意の開放位置で停止保持するが、この種のストッパー装置は特許文献２に開示されている。そこでは、サスペンションレールを閉じ端側へ向かって下り傾斜させて、戸パネルを任意の開放位置から自重で閉じ移動できるようにしている。ストッパー装置は、上下に長いゴム製のストッパーと、ストッパーを左右傾動可能に軸支するピンと、ストッパーを押下げ付勢する板ばねと、これらを支持するブラケットなどで構成してある。ストッパーの上下端は、それぞれ丸められており、その上下中途部には、長穴状のピン穴が形成してある。ストッパーは、その下端がピンの中心を通る垂直面より閉じ端側に位置する状態でサスペンションレールに接当する姿勢と、下端がピンの中心を通る垂直面より開放端側に位置する状態でサスペンションレールに接当する姿勢に左右傾動でき、前者の状態において、戸パネルを閉じ移動不能に停止保持する。この状態から、戸パネルを閉じ操作すると、ストッパーが板ばねを上突状に弾性変形させながら、ピンの回りに反時計回転方向へ回動して後者の状態に切換わるので、戸パネルは自重で閉じ位置まで移動する。
【先行技術文献】
【特許文献】
【０００４】
【特許文献１】特開２００８−２６１１３５号公報（段落番号００３６、図１）
【特許文献２】特開平１１−３３６４０８号公報（段落番号００１８〜００１９、図３）
【発明の概要】
【発明が解決しようとする課題】
【０００５】
特許文献１の閉じ停止装置は、従来のこの種の装置に比べて、ロックレバーの姿勢が切換るときの切換え抵抗を小さくできるので、体が不自由で非力な使用者であっても戸パネルをより軽快に開閉できる。しかし、ランナーを走行案内するガイドレールの内部に戸パネルを支持するランナーはもちろん、自閉装置を構成する低トルクばねとエアーダンパー、さらに途中停止装置を収容している。そのため、ガイドレールの上下寸法が大きくなるのを避けられず、ランナーのみを走行案内する断面Ｃ字形の汎用型のガイドレールに比べて、レール構造が特殊化しコストが嵩んでしまう。また、ロックレバーは、常にラックと接触した状態でギヤ歯を乗越えながら、戸パネルに同行して開閉移動する。そのため、ロックレバーがギヤ歯を連続して乗越えるときに騒音が発生するのを避けられない。
【０００６】
特許文献２のストッパー装置は、ゴム製のストッパーの姿勢を板ばねの弾性力に抗して切換えることにより、戸パネルを一時停止させ、あるいはストッパーの停止状態を解除する。傾動姿勢が切換るときのストッパーは、摩擦抵抗が大きなゴムで形成してあるため、サスペンションレールおよび板ばねと強く密着して大きな摩擦抵抗を受けており、さらに、自身の変形応力や、板ばねの変形応力に打勝ちながら傾動姿勢を切換えねばならない。そのため、特許文献１の閉じ停止装置に比べると、姿勢が切換るときの切換え抵抗が大きく、健常者であっても弾みをつけて戸パネルを開閉しなければならず、戸パネルを軽快に開閉することができない。また、ストッパーが直立してその上端がデッドポイントを越えると、切換え抵抗が急激に低下するため、使用者の体勢が崩れるおそれがあるなど、体が不自由で非力な使用者にとって使い勝手が悪い。
【０００７】
本発明の目的は、戸パネルを吊下げ支持するガイドレールが大形化し特殊化するのを解消して、コストが少なくて済む汎用型のガイドレールを使用でき、しかも、戸パネルの開閉時に騒音が発生するのを解消して静音化できるフリーストッパーを備えている引き戸を提供することにある。
本発明の目的は、自閉装置を備えている引き戸において、戸パネルを任意の開放位置で確実に一時停止できるにも拘わらず、フリーストッパーの姿勢切換えをより軽快に行って、体が不自由で非力な使用者であっても戸パネルを軽快に開閉できるフリーストッパーを備えている引き戸を提供することにある。
【課題を解決するための手段】
【０００８】
本発明は、戸パネル２が、ガイドレール１で吊車型のランナー３を介して吊下げ支持され、戸パネル２の下部に固定した振止めレール５が、床面Ｆに配置した振止め体６で移行案内される引き戸を対象とする。戸パネル２を任意の開放位置で停止保持するためのフリーストッパーＳが、振止めレール５の内部に収容されて床面Ｆに固定されている。該フリーストッパーＳは、ホルダー４４と、ホルダー４４に設けた支軸４５で左右傾動可能に支持される摩擦付与体４６と、摩擦付与体４６を傾動付勢する傾動ばね４７を含む。摩擦付与体４６は、その中心軸Ｐが支軸４５の中心を通る垂直面より閉じ端側へ傾動する開放阻止姿勢と、前記垂直面より開放端側へ傾動する閉じ阻止姿勢に切換え可能に構成されている。摩擦付与体４６は、フラットな振止めレール５の内面壁に接触して、該振止めレール５の内壁面との間で生じる摩擦力によって戸パネル２を停止保持する摩擦腕部５４を備えている。そして、該摩擦腕部５４が、開放阻止姿勢、閉じ阻止姿勢、および両阻止姿勢間の姿勢切換え時において、常に振止めレール５の内面壁に接触するように構成されていることを特徴とする。
【０００９】
戸パネル２の下端面に振止めレール５が埋設されて、摩擦腕部５４の上端が振止めレール５の上壁に摩擦接触されている。振止めレール５の下開口面と対向する床面Ｆにユニットベース４８が固定されて、ユニットベース４８に振止め体６が装着されている。フリーストッパーＳのホルダー４４は、ユニットベース４８に固定したガイド軸５８で上下スライド可能に案内支持されている。ホルダー４４とユニットベース４８との間に、摩擦腕部５４の高さを調整する高さ調整構造が設けられている。
【００１０】
高さ調整構造は、ユニットベース４８で回転可能に支持した調整ねじ６０と、調整ねじ６０に対応してホルダー４４の底壁に形成したねじ穴６１と、調整ねじ６０の下部に設けた操作部６２を備えている。操作部６２は、戸パネル２と床面Ｆの間の隙間に臨ませてある。
【００１１】
ユニットベース４８の左右に、振止めレール５を移行案内する振止め体６が装着されている。振止め体６は、ユニットベース４８に固定した振止め軸６５と、振止め軸６５で回転自在に支持した振止めローラー６６で構成されている。
【００１２】
摩擦付与体４６は、ゴム層５１と、ゴム層５１にインサートされる金属製の補強芯体５２で構成されており、支軸４５で軸支されるボス部５３と、ボス部５３の上側に突設される摩擦腕部５４と、ボス部５３の左右に突設されるばね受座５５を一体に備えている。補強芯体５２にボス部５３と、ばね受座５５を補強する座腕５６が一体に形成されている。
【００１３】
ホルダー４４は、ユニットベース４８に固定した左右一対のガイド軸５８で上下スライド可能に案内支持されている。傾動ばね４７は圧縮コイルばねで形成され、ばね受座５５に設けたばね掛軸５７とガイド軸５８に装着されている。
【００１４】
ガイドレール１と戸パネル２の間に、戸パネル２を任意の開放位置から閉じ操作する自閉装置が設けられている。自閉装置は、戸パネル２を閉じ付勢するぜんまいばねを備えた動力ユニット２０と、動力ユニット２０の閉じ付勢力に抗して戸パネル２の閉じ動作を制動するシリンダー型のエアーダンパー２１を備えている。動力ユニット２０とエアーダンパー２１のうち、少なくとも動力ユニット２０が戸パネル２の上端に設けたばね装着部４０に装着され、動力ユニット２０から繰り出したワイヤー２４の端部がガイドレール１の中途部に固定されている。
【００１５】
本発明は、戸パネル２が、ガイドレール１で吊車型のランナー３を介して吊下げ支持され、戸パネル２の下部に振止めレール５が配置してある引き戸を対象とする。戸パネル２を任意の開放位置で停止保持するためのフリーストッパーＳが、振止めレール５の内部に収容されて床面Ｆに固定されている。フリーストッパーＳは、床面Ｆに固定されるユニットベース７１と、ユニットベース７１に装着した支軸７２で回転自在に支持される前後一対の摩擦ローラー７３・７３と、ユニットベース７１で左右スライド自在に案内支持したローラー軸７４に装着される切換ローラー７５と、ローラー軸７４および切換ローラー７５を互いに逆向きに移動付勢して、切換ローラー７５を摩擦ローラー７３・７３の周面に密着させる左右一対の切換えばね７６を備えている。各摩擦ローラー７３・７３は、振止めレール５の前壁および後壁の内面と、切換ローラー７５の周面に同時に接触して、各接触部分の摩擦力で戸パネル２を任意の開放位置で停止保持できる。切換ローラー７５は、その軸中心が支軸７２の中心を通る垂直面より閉じ端側に位置する開放阻止姿勢と、前記垂直面より開放端側に位置する閉じ阻止姿勢に切換え可能に構成する。開放阻止姿勢と閉じ阻止姿勢の間の姿勢切換え時に、切換ローラー７５が一対の摩擦ローラー７３・７３を弾性変形させながら、両ローラー７３・７３の対向周面を通過することを特徴とする。
【００１６】
摩擦ローラー７３・７３は振止め体６を兼ねている。
【発明の効果】
【００１７】
本発明に係る引き戸においては、フリーストッパーＳを振止めレール５内に収容し、その摩擦付与体４６と振止めレール５の間の摩擦力によって、戸パネル２を任意の開放位置で停止保持できるようにした。こうした引き戸によれば、戸パネル２を支持するガイドレール１の内部に、フリーストッパーＳを配置するスペースを確保する必要がないので、ガイドレール１が大形化し、あるいはレール構造が特殊化するのを解消できる。従って、コストが少なくて済む汎用型のガイドレール１を使用して、戸パネル２を開閉案内することができる。また、戸パネル２を開閉するときの摩擦付与体４６は、振止めレール５に対して常に接触した状態のまま滑ることで、振止めレール５の開閉移動に追随する。そのため、戸パネル２を開閉するとき叩打騒音や擦過騒音を生じる余地がないうえ、音が拡散しにくい戸パネル２の下部の振止めレール５内にフリーストッパーＳを配置するので、全体としてフリーストッパーＳを備えた引き戸の静音性を向上できる。
【００１８】
支軸４５で左右傾動可能に支持した摩擦付与体４６を、一対の傾動ばね４７で傾動付勢して、摩擦付与体４６の姿勢切換えを補助するので、フリーストッパーＳの姿勢切換えをより軽快に行うことができ、従って、体が不自由で非力な使用者であっても戸パネル２を軽快に開閉できる。摩擦付与体４６は図１に示す閉じ阻止姿勢と、図７（ｂ）に示す開放阻止姿勢のいずれか一方の姿勢に保持されるが、いずれの場合にも閉じ端側の傾動ばね４７と開放端側の傾動ばね４７の一方が伸張変形し、他方は圧縮変形している。この状態から戸パネル２を開閉いずれか一方に操作して摩擦付与体４６の姿勢を切換える状態では、圧縮変形している、ばね張力が大きな側の傾動ばね４７で摩擦付与体４６の傾動動作を補助することができるので、戸パネル２の操作抵抗を軽減して、その分だけフリーストッパーＳの姿勢切換えを軽快に行えることになる。
【００１９】
フリーストッパーＳを支持するユニットベース４８を利用して振止め体６を設けると、戸パネル２が前後に振れるのを振止め体６で阻止した状態で、摩擦付与体４６を振止めレール５に密着できる。これに伴い、フリーストッパーＳによる戸パネル２の位置保持機能を安定した状態で発揮させることができ、さらに、ユニットベース４８を床面Ｆの所定位置に固定するだけで、フリーストッパーＳと振止め体６を同時に組んで、施工に要する手間を省くことができる。ホルダー４４をガイド軸５８で上下スライド可能に案内支持し、ホルダー４４とユニットベース４８との間に、摩擦腕部５４の高さを調整する高さ調整構造を設けると、戸パネル２の高さ調整に対応して摩擦腕部５４の高さを調整することにより、振止めレール５と摩擦付与体４６の密着度合いを好適化できる。従って、フリーストッパーＳで戸パネル２を位置保持しているときの摩擦力を常に好適化して、摩擦力が過剰になり、あるいは不足するのを一掃して、フリーストッパーＳに位置保持機能を安定した状態で発揮させることができる。
【００２０】
調整ねじ６０と、ホルダー４４に設けたねじ穴６１と、調整ねじ６０の下部に設けた操作部６２などで高さ調整構造を構成すると、摩擦腕部５４の高さを調整した場合に操作部６２の位置が変化するのを防止して、操作部６２を戸パネル２と床面Ｆの間の隙間に常に臨ませておくことができる。従って、戸パネル２が高さ調整された場合でも、操作部６２をスパナなどの工具で確実に回動操作して、摩擦腕部５４の高さ調整を簡便に行うことができる。
【００２１】
ユニットベース４８の左右に、振止めレール５を移行案内する振止め体６を装着すると、戸パネル２が前後に振れるのを左右の振止め体６で阻止した状態で、摩擦付与体４６を振止めレール５に密着できるので、フリーストッパーＳによる戸パネル２の位置保持機能を安定した状態で発揮させることができる。振止め軸６５と、同軸６５で回転自在に支持した振止めローラー６６で振止め体６を構成することにより、振止めレール５が開閉移動するときの同レール５と振止めローラー６６の間の摩擦抵抗を小さくして、戸パネル２の開閉を軽快に行える。
【００２２】
ゴム層５１と、ゴム層５１にインサートされる金属製の補強芯体５２で構成した摩擦付与体４６において、補強芯体５２にボス部５３と座腕５６を一体に形成すると、摩擦付与体４６に作用するばね力や摩擦反力などの外力に対して充分な構造強度を確保しながら、摩擦腕部５４の摩擦力による戸パネル２の位置保持機能を確実に発揮できる。また、金属製の補強芯体５２に設けたボス部５３を支軸４５で支持するので、摩擦付与体４６が傾動するときの傾動軌跡を一定にして、閉じ阻止姿勢と開放阻止姿勢の間の姿勢切換えに要する力が大小にばらつくのを防止できる。
【００２３】
ホルダー４４をユニットベース４８に固定した左右一対のガイド軸５８で上下スライド可能に案内支持するフリーストッパーＳによれば、ホルダー４４および摩擦付与体４６を常に安定した状態で支持できる。また、圧縮コイルばねからなる傾動ばね４７をばね受座５５に設けたばね掛軸５７とガイド軸５８に装着することにより、摩擦付与体４６が傾動するとき傾動ばね４７の上下位置が変動するのを確実に防止して、常に安定した状態で摩擦付与体４６を傾動付勢できる。また、ガイド軸５８をばね受体として利用するので構造に無駄がなく、フリーストッパーＳの構造を簡素化できる利点もある。
【００２４】
自閉装置を備えた引き戸において、ぜんまいばねを備えた動力ユニット２０と、シリンダー型のエアーダンパー２１で自閉装置を構成し、少なくとも動力ユニット２０を戸パネル２のばね装着部４０に装着すると、ガイドレール１の内部において自閉装置が占めるスペースを小さくできる。具体的には、ランナー３と共にエアーダンパー２１をガイドレール１の内部に収容して、動力ユニット２０から繰り出したワイヤー２４の端部をガイドレール１の中途部に固定すればよく、動力ユニット２０を配置するためのスペースを省略できる。従って、自閉装置を備えた引き戸でありながら、ガイドレール１が大形化し、あるいはレール構造が特殊化するのを解消できる。従って、コストが少なくて済む汎用型のガイドレール１を使用して、自閉装置をガイドレール１と戸パネル２の間に組むことができる。
【００２５】
本発明に係る引き戸においては、前後一対の摩擦ローラー７３と、切換ローラー７５と、切換ローラー７５を移動付勢する切換えばね７６などでフリーストッパーＳを構成した。こうしたフリーストッパーＳによれば、実施例１における高さ調整構造を省略できるので、その分だけフリーストッパーＳの構造を簡素化して低コスト化できる。また、施工時や、戸パネル２の高さ調整を行うごとに摩擦ローラー７３の高さを調整する手間を省くことができる。さらに、調整ねじ１８を操作して戸パネル２の上下高さが変化しても、摩擦ローラー７３の周面と振止めレール５の接触位置がずれるだけであるので、高さ調整に影響されることなく、常に一定の摩擦力を発揮させることができる。床面の不陸の影響を受けない利点もある。
【００２６】
摩擦ローラー７３が振止め体６を兼ねる場合には、別途振止め体６を設ける必要がないので、その分だけ振止め構造に要するコストを削減できる。
【図面の簡単な説明】
【００２７】
【図１】本発明の実施例１に係る引き戸を構成するフリーストッパーの縦断正面図である。
【図２】実施例１に係る引き戸の正面図である。
【図３】引き戸を構成するランナーおよびガイドレールの縦断側面図である。
【図４】引き戸を構成する自閉装置の概略を示す縦断正面図である。
【図５】図１におけるＡ−Ａ線断面図である。
【図６】図１におけるＢ−Ｂ線断面図である。
【図７】摩擦付与体の作動状態を示す説明図である。
【図８】実施例２に係るフリーストッパーの平面図である。
【図９】図８におけるＣ−Ｃ線断面図である。
【発明を実施するための形態】
【００２８】
（実施例１）  図１ないし図７は、本発明に係る引き戸の実施例１を示す。本発明における前後、左右、上下とは、図２に示す交差矢印と、矢印の近傍の前後・左右・上下の表記に従う。図２において符号１は開口枠の上枠に固定したガイドレール、符号２は戸パネルである。戸パネル２はその上部左右に装着したランナー３を介してガイドレール１で吊下げ支持されて、同レール１に沿って開閉移動できる。戸パネル２の下部には埋設溝４が形成され、同溝４の内部に固定した振止めレール５が、床面Ｆに配置した振止め体６で左右移動のみ自在に移行案内してある。振止めレール５はアルミニウム材で形成してあり、埋設溝４に対して接着固定してある。符号７はドアハンドルである。
【００２９】
図３に示すように、ガイドレール１は下向きに開口する断面Ｃ字状のアルミニウム条材からなり、その下面前後にランナー３を転動案内するレール壁１０を有し、レール内面の前後壁および上壁にランナー３の遊動を規制するリブ１１・１２が設けてある。ランナー３は、戸パネル２の上隅のホルダー１３に装着されるランナー台１４と、前後一対のローラー１５と、ローラー１５を回転自在に軸支するローラー枠１６と、ランナー台１４とローラー枠１６を連結するランナー軸１７などで構成してある。ランナー台１４には、戸パネル２の上下高さを調整する調整ねじ１８が設けてある。
【００３０】
任意の位置まで開放操作された戸パネル２を、自動的にゆっくりと閉じ移動させるために、戸パネル２とガイドレール１との間に自閉装置を設けている。図４において、自閉装置は、戸パネル２を閉じ位置へ向かって移行付勢する動力ユニット２０と、ガイドレール１の内部に配置したシリンダー型のエアーダンパー２１で構成する。動力ユニット２０は、四角形状のケース２２にワイヤードラム２３を収容し、ワイヤードラム２３の外面にワイヤー２４を巻込み収納し、ワイヤードラム２３のドラム内部にぜんまいばね（図示していない）を収容して構成してある。ワイヤー２４は、ステンレス製のワイヤーからなり、その表面にポリアミド樹脂がコーティングしてある。ワイヤー２４の操出し端には取付け金具２５が固定してあり、この取付け金具２５をガイドレール１の中途部に固定することにより、戸パネル２を任意の開放位置から閉じ位置へ移動することができる。動力ユニット２０の閉じ操作力に抗して、戸パネル２を任意の開放位置で停止保持するために、フリーストッパーＳを振止めレール５と床面Ｆとの間に設けている。
【００３１】
図４においてエアーダンパー２１は市販品であって、シリンダー本体３０と、同本体３０に対して出入りするピストンロッド３１と図示していない速度コントローラーなどで構成してある。シリンダー本体３０は連結金具３２を介して閉じ端側のランナー３のローラー枠１６に連結してある。そのため、戸パネル２が開閉するとき、シリンダー本体３０はランナー３に同行して移動する。このようなシリンダー本体３０の移動を円滑化するために、シリンダー本体３０の開放端側に前後一対のローラー３３を設け、そのローラー枠３４をシリンダー本体３０に連結している。
【００３２】
上記のように、シリンダー本体３０の両端はランナー３のローラー枠１６とローラー３３のローラー枠３４で、レール壁１０から浮き離れた状態でガイドレール１の内部に収めてある。従って、シリンダー本体３０がランナー３と同行移動するとき、その周面がガイドレール１と擦れあって摩擦抵抗となり、あるいは騒音が発生するのを解消できる。ピストンロッド３１はローラー枠１６を左右に貫通する状態で配置してあるので、ピストンロッド３１が占めるスペースとランナー３が移行するスペースを共有化できる。従って、ランナー３のみを走行案内する断面Ｃ字形の汎用型のガイドレール１を使用して自閉装置を構成することができ、ガイドレール１内にエアーダンパー２１が収容してあるにもかかわらずレール構造が特殊化しコストが嵩むのを解消できる。
【００３３】
ピストンロッド３１の突端とガイドレール１の閉じ端との間に磁石連結構造が設けてある。磁石連結構造は、ピストンロッド３１の突端に固定した磁石３５とガイドレール１の閉じ端に固定した鉄板３６で構成してあり、戸パネル２が閉じ位置から開放途中位置まで開放移動するとき、ピストンロッド３１を移動不能に吸着保持する。ローラー枠３４の開放端側には、ワイヤー２４の中途部を受止めるガイドプーリー３７が回転自在に支持してある。
【００３４】
上記の動力ユニット２０の戸パネル２に対する取付けを容易化するために、図４に示すように、戸パネル２の上部の開放端寄りにばね装着部４０を凹み形成し、その底壁に板バネ材で形成した弾性係合体４１を固定している。取付け時には、動力ユニット２０を戸パネル２の上方からばね装着部４０に嵌込んで、その下部両側に張出した装着座４２を弾性係合体４１に圧嵌係合するだけで、動力ユニット２０を戸パネル２に固定できる。従って、動力ユニット２０を支持するためのブラケットやホルダーを別途設ける必要がなく、さらに、動力ユニット２０をブラケットやホルダーに固定する締結構造も省略できるので、施工やメンテナンスに要する手間と時間を節約できる。
【００３５】
図１、図５および図６に示すように、フリーストッパーＳは、Ｕ字状のプレス金具からなるホルダー４４と、ホルダー４４に固定した支軸４５で左右傾動可能に支持される摩擦付与体４６と、摩擦付与体４６を傾動付勢する傾動ばね４７と、高さ調整構造と、これらの組付け基体となるユニットベース４８などで構成する。ユニットベース４８は、左右端に締結座を有し、両締結座の間に組付座４９を備えたプレス金具からなる。フリーストッパーＳを床面Ｆに装着し、戸パネル２をガイドレール１に吊り込んだ状態では、ホルダー４４と摩擦付与体４６と傾動ばね４７が、振止めレール５の内部に収容されている。ユニットベース４８の左右の締結座は、ビス５０で床面Ｆに固定してある。
【００３６】
摩擦付与体４６は、ゴム層５１と、ゴム層５１にインサートされる金属製の補強芯体５２とで構成する。詳しくは、摩擦付与体４６は支軸４５で軸支されるボス部５３と、ボス部５３の上側に突設されるくさび状の摩擦腕部５４と、ボス部５３の左右に突設されるばね受座５５を一体に備えており、補強芯体５２にボス部５３と、ばね受座５５を補強する座腕５６が一体に形成してある。座腕５６の下面にはばね掛軸５７がゴム層５１から突出する状態で設けてある（図７参照）。ゴム層５１で形成した摩擦腕部５４の先端は丸められている。ゴム層５１は、天然ゴムや合成ゴムなどのゴム材（高弾性材）で形成してあればよく、例えばウレタンゴムを形成素材とすることができる。
【００３７】
傾動ばね４７は圧縮コイルばねからなり、その上下端がばね掛軸５７と、後述するガイド軸５８に外嵌装着されて、ばね受座５５とホルダー４４の底壁に受止められている。このように、傾動ばね４７の上下端をばね掛軸５７とガイド軸５８に係合すると、摩擦付与体４６が傾動するとき傾動ばね４７の上下位置が変動するのを確実に防止できるので、常に安定した状態で摩擦付与体４６を傾動付勢できる。また、ガイド軸５８をばね受体として利用するので構造に無駄がなく、フリーストッパーＳの構造の簡素化に寄与できる。
【００３８】
摩擦付与体４６は、その中心軸Ｐが支軸４５の中心を通る垂直面より閉じ端側へ傾動する開放阻止姿勢（図７（ｂ）に示す姿勢）と、前記垂直面より開放端側へ傾動する閉じ阻止姿勢（図１に示す姿勢）に切換えることができ、この姿勢切換えをより軽快に行うために、一対の傾動ばね４７で摩擦付与体４６を付勢している。開放阻止姿勢に切換えられた摩擦付与体４６は、戸パネル２が閉じ側へ移動するとき、振止めレール５と相対的に滑るので、戸パネル２の閉じ移動が摩擦付与体４６で阻害されることはない。また、閉じ阻止姿勢に切換えられた摩擦付与体４６は、戸パネル２が解放側へ移動するとき、振止めレール５と相対的に滑るので、戸パネル２の開放移動が摩擦付与体４６で阻害されることはない。
【００３９】
戸パネル２をランナー３でガイドレール１に吊り込んだ施工状態において、ランナー台１４に設けた調整ねじ１８を操作して戸パネル２の高さを調整することがある。このように、戸パネル２の高さを調整すると、振止めレール５のフラットな上壁（内壁面）と摩擦付与体４６の密着度合い（摩擦接触の度合い）が変化してしまう。こうした場合でも、振止めレール５の上壁と摩擦付与体４６の密着度合いを好適化するために、ホルダー４４をユニットベース４８に固定した左右一対のガイド軸５８で上下スライド可能に案内支持し、ホルダー４４とユニットベース４８との間に、摩擦付与体４６用の高さ調整構造を設けている。
【００４０】
高さ調整構造は、ユニットベース４８の組付座４９に回転可能にかしめ固定した調整ねじ６０と、調整ねじ６０に対応してホルダー４４の底壁に形成したねじ穴６１と、調整ねじ６０に設けた六角形の操作部６２などで構成してある。操作部６２は組付座４９の上面で受止められて、戸パネル２と床面Ｆの間の隙間に臨んでいる。従って、先の隙間から差し込んだレンチやスパナを操作部６２に係合して、調整ねじ６０を回動操作することにより、摩擦付与体４６の高さを調整して、振止めレール５の上壁と摩擦腕部５４の上部分との密着度合いを好適化できる。
【００４１】
ユニットベース４８を利用して、その組付座４９に左右一対の振止め体６が組付けてある。振止め体６は、ユニットベース４８にかしめ固定した振止め軸６５と、振止め軸６５で回転自在に支持した振止めローラー６６と、振止めローラー６６を押え保持する座金などで構成してある。振止めローラー６６の直径寸法は、振止めレール５の内面の前後幅より僅かに小さく設定してある。このように、ユニットベース４８を利用してフリーストッパーＳの左右両側に振止め体６を設けると、戸パネル２が前後に振れるのを左右の振止め体６で阻止した状態で、摩擦付与体４６を振止めレール５に密着できるので、フリーストッパーＳによる戸パネル２の位置保持機能を安定した状態で発揮させることができる。また、ユニットベース４８を床面Ｆの所定位置に固定するだけで、フリーストッパーＳと振止め体６を同時に組むことができるので、施工に要する手間を省くことができる。
【００４２】
戸パネル２が閉じ位置にあるとき、フリーストッパーＳの摩擦付与体４６は開放阻止姿勢に切換っている。この状態から戸パネル２を開放操作すると、摩擦腕部５４の上部が振止めレール５に引きずられながら弾性変形し、摩擦付与体４６の全体が支軸４５の回りに時計回転方向へ回動する。このとき、閉じ端側の傾動ばね４７は、開放端側の傾動ばね４７に比べて、大きく圧縮変形されている。そのため、摩擦付与体４６が時計回転方向へ回動するのを、傾動ばね４７のばね力で補助し促進できる。そして、摩擦腕部５４の上部が支軸４５の中心を通る垂直面を通過したのちは、図７（ａ）に示すように摩擦付与体４６の中心軸Ｐが先の垂直面より閉じ端側へ傾動して、図１に示すように閉じ阻止姿勢に切換る。そのため、摩擦付与体４６が閉じ阻止姿勢に切換ったのち、戸パネル２を開放し終わるまでの間は、摩擦腕部５４の上部と振止めレール５は相対的に滑るだけであり、戸パネル２を軽快に開放操作することができる。また、振止めレール５の平坦な上壁内面が摩擦腕部５４に対して開放方向へ滑るため（接触状態が維持されるため）、両者の間で騒音を生じることはなく静音化できる。
【００４３】
戸パネル２が閉じ位置から開放操作される間、動力ユニット２０からワイヤー２４が繰り出され、これに伴いワイヤードラム２３が回転することでぜんまいばねが巻き締められる。また、ピストンロッド３１は磁石３５と鉄板３６の吸着力によって閉じ端側に位置保持されるため、シリンダー本体３０のみが戸パネル２と同行移動する。戸パネル２を必要なだけ開放したのち戸パネル２から手を放すと、戸パネル２はぜんまいばねの付勢力を受けて閉じ位置側へ戻ろうとする。しかし、摩擦付与体４６が閉じ阻止姿勢に切換っているため、戸パネル２が閉じ位置側へ移動することはなく、開放操作された位置に留まる。この状態の摩擦付与体４６と振止めレール５の間の摩擦力は、ぜんまいばねの閉じ付勢力より大きい。
【００４４】
戸パネル２を閉じるには、戸パネル２を閉じ方向へ移動操作して、閉じ阻止姿勢になっている摩擦付与体４６の姿勢を開放阻止姿勢に切換える。戸パネル２が閉じ方向へ移動操作すると、摩擦腕部５４の上部が振止めレール５に引きずられながら弾性変形し、摩擦付与体４６の全体が支軸４５の回りに反時計回転方向へ回動する。そして、摩擦腕部５４の上部が支軸４５の中心を通る垂直面を通過したのちは、図７（ｂ）に示すように摩擦付与体４６の中心軸Ｐが先の垂直面より閉じ端側へ傾動して開放姿勢に切換る。以後は、ぜんまいばねの閉じ付勢力によって戸パネル２が閉じ位置側へ移動し、エアーダンパー２１のピストンロッド３１に設けた磁石３５が鉄板３６と接当した時点から、エアーダンパー２１の制動作用によって戸パネル２をゆっくりと閉じ移動させる。
【００４５】
上記の実施例に係る引き戸においては、フリーストッパーＳを振止めレール５内に収容し、その摩擦付与体４６と振止めレール５の間の摩擦力によって、戸パネル２を任意の開放位置で停止保持できるようにした。このように、フリーストッパーＳを振止めレール５内に配置すると、ガイドレール１の内部にフリーストッパーＳを配置するスペースを確保する必要がないので、ガイドレール１が大形化し、あるいはレール構造が特殊化するのを解消できる。従って、コストが少なくて済む汎用型のガイドレール１を使用して、その内部に自閉装置を組むことができる。また、戸パネル２を開閉するときの摩擦腕部５４は、振止めレール５に対して常に接触した状態のまま滑ることで、振止めレール５の開閉移動に追随するので、戸パネル２を開閉するとき叩打騒音や擦過騒音を生じる余地がなく、しかも、音が拡散しにくい戸パネル２の下部の振止めレール５内にフリーストッパーＳを配置するので、全体としてフリーストッパーＳを備えた引き戸の静音性を向上できる。
【００４６】
戸パネル２を吊車型のランナー３で支持する引き戸においては、その下部に振止め構造を設ける必要があるが、振止め構造を構成する既存の振止めレール５にフリーストッパーＳを収容して、戸パネル２を任意の開放位置で停止保持できるので、フリーストッパーＳを付加することに伴うコスト増を抑止できる。さらに、フリーストッパーＳによる戸パネル２の位置保持機能をオプション機能とする場合には、既存の振止めレール５を利用してフリーストッパーＳを付加すればよいので、戸パネル２に追加工を施す必要がなく、既存の引き戸にも簡便に適用できる点で有利である。従来の閉じ停止装置においては、ランナー３や自閉装置の構造や配置位置との関係を考慮して、フリーストッパーＳの構造や配置形態を決める必要があるが、こうした設計上の制約がなく、設計の自由度が高い点でも有利である。
【００４７】
支軸４５で左右傾動可能に支持した摩擦付与体４６を、一対の傾動ばね４７で傾動付勢して摩擦付与体４６の姿勢切換えを補助するので、フリーストッパーＳの姿勢切換えをより軽快に行うことができ、従って、体が不自由で非力な使用者であっても戸パネル２を軽快に開閉できる。例えば、摩擦付与体４６が閉じ阻止姿勢に切換っている状態では、図１に示すように、閉じ端側の傾動ばね４７は伸張変形し、開放端側の傾動ばね４７は圧縮変形してばね張力が大きくなっている。そのため、戸パネル２を閉じ操作して摩擦付与体４６の姿勢を開放阻止姿勢に切換える過程では、ばね張力が大きな開放端側の傾動ばね４７で摩擦付与体４６の反時計回転方向の傾動を補助して、戸パネル２の操作抵抗を軽減でき、その分だけフリーストッパーＳの姿勢切換えを軽快に行えることになる。
【００４８】
（実施例２）  図８および図９は本発明に係る引き戸の実施例２を示す。実施例２に係るフリーストッパーＳは、床面Ｆに固定されるユニットベース７１と、ユニットベース７１に装着した支軸７２で回転自在に支持される前後一対の摩擦ローラー７３・７３と、ユニットベース７１で左右スライド自在に案内支持したローラー軸７４に装着される切換えローラー７５と、ローラー軸７４および切換えローラー７５を互いに逆向きに移動付勢して、切換えローラー７５を摩擦ローラー７３・７３の周面に密着させる左右一対の切換えばね７６などで構成する。支軸７２はユニットベース７１の組付座７７にかしめ固定してあり、一対の摩擦ローラー７３・７３は所定の前後隙間を間にして隣接している。この隣接隙間は、切換えローラー７５の直径より小さく設定してある。ローラー軸７４は組付座７７に形成したガイド溝７８で左右スライドのみ可能に案内支持してある。
【００４９】
摩擦ローラー７３は、筒状のゴム層と、ゴム層にインサートされる金属製の補強筒軸８０とで構成する。ゴム層は、天然ゴムや合成ゴムなどのゴム材（高弾性材）で形成してあればよく、例えばウレタンゴムを形成素材とすることができる。切換えローラー７５はプラスチック成型品からなり、その上下長さは、摩擦ローラー７３の上下長さの約半分に設定してある。切換えばね７６は引張りコイルばねからなり、その一端はローラー軸７４に掛止され、その他端はユニットベース７１の左右に固定したピン８１に掛止してある。左右の切換えばね７６のばね張力は同じである。他は実施例１と同じであるので、同じ部材に同じ符号を付してその説明を省略する。この実施例における摩擦ローラー７３は、実施例１における振止め体６を兼ねている。
【００５０】
ユニットベース７１を床面Ｆにビス８２で固定し、フリーストッパーＳを振止めレール５内に収容した状態では、前後の摩擦ローラー７３・７３は、振止めレール５の前壁および後壁の内面と、切換ローラー７５の周面に同時に接触して、各接触部分の摩擦力で戸パネル２を任意の開放位置で停止保持することができる。摩擦ローラー７３・７３は実施例１で説明した振止め体６を兼ねており、従って、実施例２における引き戸においては、振止め体６を別途設ける必要がなく、その分だけコストを削減できる。
【００５１】
戸パネル２が閉じ位置にあるとき、フリーストッパーＳの切換えローラー７５は、図８に想像線で示すようにその軸中心が両支軸７２・７２の中心を通る垂直面より開放端側に位置する開放阻止姿勢に切換っている。この状態から戸パネル２を開放操作すると、前後の摩擦ローラー７３が振止めレール５の前壁および後壁に引きずられて、たがいに逆向きに回転する。そのため、切換えローラー７５は前後の摩擦ローラー７３の間に引きずり込まれる向きの摩擦力を受けて、両ローラー７３・７３を弾性変形させながら図８に向かって左向きに移動する。このとき、閉じ端側の切換えばね７６は、開放端側の切換えばね７６に比べて大きく伸長しているので、切換ローラー７５の左方向への移動動作を切換えばね７６のばね力で補助し促進できる。両ローラー７３・７３の間を通過したのちの切換ローラー７５は、実線で示すように、その軸中心が両支軸７２・７２の中心を通る垂直面より閉じ端側に位置する閉じ阻止姿勢に切換わる。この状態では、任意の開放位置で戸パネル２の開放操作を停止すると、戸パネル２はフリーストッパーＳの摩擦力によって停止保持される。なお、任意の開放位置からさらに戸パネル２を開放操作した場合には、切換えローラー７５は前後の摩擦ローラー７３によって離れる向きの摩擦力を受けるので、戸パネル２を抵抗なく開放できる。
【００５２】
戸パネル２を閉じ移動したい場合には、戸パネル２を閉じ端側へ向かって移動させる。これに伴い、前後の摩擦ローラー７３が振止めレール５の前壁および後壁に引きずられて、互いに逆向きに回転し、切換えローラー７５が前後の摩擦ローラー７３の間に引きずり込まれる向きの摩擦力を受け、両ローラー７３・７３を弾性変形させながら図８に向かって右向きに通過して、開放阻止姿勢に切換る。以後は、ぜんまいばねの閉じ付勢力によって戸パネル２が閉じ位置側へ移動し、エアーダンパー２１のピストンロッド３１に設けた磁石３５が鉄板３６と接当した時点から、エアーダンパー２１の制動作用によって戸パネル２をゆっくりと閉じ移動できる。
【００５３】
上記のように、前後一対の摩擦ローラー７３と、切換ローラー７５と、切換ローラー７５を移動付勢する切換えばね７６などで構成したフリーストッパーＳによれば、調整ねじ１８を操作して戸パネル２の上下高さが変化しても、摩擦ローラー７３の周面と振止めレール５の接触位置がずれるだけであるので、フリーストッパーＳに高さ調整構造を設ける必要がない。従って、高さ調整構造を省略した分だけ、フリーストッパーＳの構造を簡素化して低コスト化できる。また、施工時や、戸パネル２の高さ調整を行うごとに摩擦ローラー７３の高さを調整する手間を省くことができる。さらに、高さ調整に影響されることなく、常に一定の摩擦力を発揮させることができるうえ、床面の不陸の影響を受けない利点もある。摩擦ローラー７３が振止め体６を兼ねるようにすると、別途振止め体６を設ける必要がないので、その分だけ振止め構造に要するコストを削減できる。
【００５４】
上記の実施例では、摩擦腕部５４の上端を振止めレール５の上壁に摩擦接触させるようにしたが、その必要はない。例えば、摩擦腕部５４の上部を振止めレール５の前壁または後壁に摩擦接触させ、あるいは前壁および後壁と上壁の二つの壁面に摩擦接触させて、戸パネル２を位置保持することができる。振止めレール５は、プラスチック製の条材で形成してあってもよく、その場合には、レールの上壁に摩擦調整シートを貼付けて、摩擦腕部５４との摩擦力を大小に調整して好適化することができる。ばね掛軸５７に換えて、傾動ばね４７の端部を受け止めるばね受穴を座腕５６に形成することができる。
【００５５】
上記の実施例以外に、傾動ばね４７は引張りばねや捩じりコイルばねで形成してあってもよく、必要があれば板ばねで形成してもよい。振止め体６は、少なくとも１個設けてあれば良い。自閉装置の構造は実施例で説明した構造である必要はなく、戸パネル２のサイズや構造に応じて適宜選定すればよい。ガイドレール１の開口枠に対する取り付け形態は、インセット構造とアウトセット構造のどちらであってもよい。本発明に係るフリーストッパーＳは、とくに自閉装置を備えている引き戸に適しているが、必要があれば自閉装置を備えていない引き戸に適用してもよい。
【符号の説明】
【００５６】
１  ガイドレール
２  戸パネル
３  ランナー
５  振止めレール
６  振止め体
２０  動力ユニット
２１  エアーダンパー
４４  ホルダー
４５  支軸
４６  摩擦付与体
４７  傾動ばね
４８  ユニットベース
５２  補強芯体
５４  摩擦腕部
５８  ガイド軸
６０  調整ねじ
６１  ねじ穴
６２  操作部
Ｆ  床面
Ｓ  フリーストッパー
Ｐ  摩擦付与体の中心軸
【図１】
2016173017.tif 000003
【図２】
2016173017.tif 000004
【図３】
2016173017.tif 000005
【図４】
2016173017.tif 000006
【図５】
2016173017.tif 000007
【図６】
2016173017.tif 000008
【図７】
2016173017.tif 000009
【図８】
2016173017.tif 000010
【図９】
2016173017.tif 000011